(57)【要約】 【課題】従来の除雪車は、2008年5月15日現在でも、高騰し続ける石油を使用するため、年金暮らしなど豪雪地帯に済む生活者の除雪費は、都道府県市町村の豪雪地帯の生活を圧迫しいいるだけでなく二酸化炭素排出を止める事も出来てない。【解決手段】本先知的所有財産の特開2006ー254697号公報と特開2003ー328925号公報の無害無給油連続発電機の活用と特開2004ー304993号公報と実登3114491号登録実用新案公報(U)の二連結以上モーターによって固い凍りでも砕いて真空装置で瞬間雪気化処理出来るため、雪のダンプ排出作業を無くした瞬間気化処理除雪が出来る化石燃料を必要としない除雪車の国の全額借金返済と都道府県市町村区の全額借金返済の為の著作権原本【選択図】図1
2012097559.tif 000002
【特許請求の範囲】
【請求項１】
本先知的所有財産は、雪を雪かき込み装置で、電動仕切り弁装置の付いた部屋にモータ付きの仕切り弁装置で雪を全自動格納出来る除雪装置の電動仕切り弁装置を備えた除雪車。
【請求項２】
本先知的所有財産は、雪かき込み装置によって、密封した部屋の雪を新型の真空装置によって雪を密封瞬間気化の大気中の雪気化放出が出来る真空装置を備えた除雪車。
【請求項３】
本先知的財産は、雪かき込み装置によって、少しばかり固い雪又は凍りでも、かき込んでしまう事の出来る二連結以上モーターを備えた除雪車。
【請求項４】
本先知的所有財産は、無害無給油の連続作動発電機を備えた除雪車。
【請求項５】
本先知的所有財産は、GPS位置確認装置使用によって、夜間又は猛吹雪の時でも、GPS位置確認を備えた車などに除雪車位置を速やかに連続して連絡し続ける事の出来るGPSを備えた除雪車。
【発明の詳細な説明】
【技術分野】
【０００１】
本先発明は、全国の積雪地帯に対しての化石燃料の石油消費を無くし瞬間に雪を気化処理出来る新技術で除雪を行おうとする除雪機に関する技術説明。
コメント
2008年5月14日AM11時54分13秒美馬牛自宅家の傷みに築く墫野ニャン
【背景技術】
【０００２】
従来の家庭用除雪機は、化石燃料のガソリン又は軽油を、燃料とした雪かき込み式によって
遠くへ雪を飛ばす方法を持ち得た除雪機がほとんどであるだけでなく、年金生活などの家庭の除雪費は、家計負担が大変であるのが現状である。
コメント
2008年5月14日AM11時59分14秒美馬牛自宅の壁落ち壁のヒビ割れ基礎の悪さ明白だ
【０００３】
豪雪地帯の道路公団又は開発局などで、使われて入る大型除雪機は、軽油を、動力エネルギー源として、除雪するたびに軽油をエネルギー源としたダンプカーで、河川又は広い敷地に雪を捨てる為に、現在も多額の都道府県市町村は、お金を払わなければ生活出来なかった。
このため、無害無給油の連続作動発電機を使用し更に、瞬間真空装置作動技術で、雪を瞬間気化せる技術などを取り入れたならば、化石燃料の使用は入らないため、新しい電気文化が発生する事となる。(例えば特許文献1参照。)(特許文献2参照。)(特許文献3参照。)(実用文献4参照。) 
コメント
2008年5月14日PM18時44分30秒庭の木の枝払い途中で終わり夕食後再び書く。
【０００４】
車社会及び除雪車社会に対して、GPSとは目的地までの道案内であり、本先発明としては除雪車の位置を他車に連絡したり、ガードマンに連絡したり、除雪車位置を連絡出来るGPSは、マスコミ公開上は、有り得なかったのが現状である。
【０００５】
仕切り弁に対しては、油圧仕切り弁と手動仕切り弁などがあっただけである。(例えば特許文献1参照。)。
【０００６】
以下図1で従来の除雪車と本先発明の先知的財産の違いを図1に基ずいて説明する。図1においては(4)の雪かき込み装置は、従来通りであるのと、(5)のホイスト(6)の雪かき込み装置支え厚鉄板及び(9)のハンドル図に書かれてるタイヤその他、走行装置は、従来通り同じ物が使用される。
コメント
2008年5月14日PM19時16分51秒伊東ゆかりのCDを聞きながら墫野ニャン再び書く。
【先行技術文献】
【特許文献】
【０００７】
【特許文献１】特開2003ー328925号公報
【０００８】
【特許文献２】特開2006ー254697号公報
【０００９】
【特許文献３】特開2004ー304993号公報
【００１０】
【特許文献４】実登3114491号登録実用新案公報(U)
【発明の概要】
【発明が解決しようとする課題】
【００１１】
2008年5月14日PM19時34分57秒本道での休業補償の分が、届いていた事にきずく墫  以上述べた従来の除雪車では、ガソリン又は軽油を作動動力エネルギー源としていたため、2008年の石油燃料費の高騰と現実の日本の国会取り決めの国保の値上がりなど、豪雪地帯の生活費を、おびやかす原油高騰は、安く除雪出来る作業作動エネルギーが求められていた。
コメント
2008年5月14日PM19時57分58秒今度こそ地方を楽に生活出来る様に無料の海外調査
【００１２】
本先発明は、このような従来の構成が有していた燃料費問題を解決しょうとするものであり、豪雪地帯の除雪方法を、ダンプカーなどの除雪運搬車使用ゼロを目的とするものである。
【課題を解決するための手段】
【００１３】
水発電機は、特許庁の一方的判断で海外審査請求調査もしないまま14日も連絡なしそして、本先知的所有財産の先発明は上記目的を達成するために、特開2003ー328925のレールモーターを使用した真空装置を除雪車に設置する事と電動仕切り弁特開2006ー254697の図21の電動仕切り弁装置をする事によって、雪かき込み装置で、雪収納庫に収められた雪は最新式除雪車の電動仕切り弁装置とレールモーター真空装置の乾燥食品技術の真空装置を新たに電動仕切り弁装置と真空装置セットで、瞬間的に雪を気化処理する技術として除雪車に設置した除雪装置。
コメント
2008年5月14日PM20時29分14秒無害無給油の連続発電機共同試作の相手いない現状 
【００１４】
また、第2の解決手段として、豪雪地帯での猛吹雪作業の安全位置確認のため、GPS位置連絡装置を設けた最新式瞬間気化処理除雪車
コメント
2008年5月14日20時34分47秒経済産業省に無料試作品の話すること書き終えたら
【００１５】
また、第3の解決手段として、やはり同じく豪雪地帯での猛吹雪作業の安全位置確認のため、望遠鏡を逆さに使用したレンズライトは、狭い光の幅で、遠目ライト以上に遠くまで届くライトの光りで、猛吹雪の除雪作業の安全を考える事によってより良い安全を提供出来る。
コメント
20年5月14日20時43分本当に現在の都道府県市町村財政気がついてるか経済産業省
【００１６】
また、第4の解決手段として、更に豪雪地帯での猛吹雪作業の安全位置確認のため、望遠鏡を
逆さに使用して、更にカラーの割れないガラスを、ライト光にかざし更に望遠鏡を逆さに使用した装置が、カラーライン線ライトの光りを猛吹雪にかざす事によって、今まで以上の除雪安全作業を求めた瞬間気化処理除雪車の安全補助装置効果を発揮する。
【００１７】
現代では、燃料電池発電が公の場でも無害無公害が明らかになっている時代無害無給油連続発電機の特開2003ー328925号公報又は特開2006ー254697号公報の3種類の無害無給油連続発電機が、経済産業省の無料試作によって、燃料電池発電の循環式又は沸騰水ピストン制御連続作動のダイナモ発電方式などの発電機先知的財産に対して全国の大学知識人の試作
協力希望と、先知的所有財産の経済産業省並びに文部科学省並びに特許庁それぞれの、先知的所有財産の先発明先考案理解によって、現在の借金地獄の都道府県市町村地方経済に少しでも明かりと言う希望の先知的所有財産の有り方をこの文章を読んでくださる人達に理解していただきたい。
特許表示特許法第187条の現状公開事実に対しての先知的所有財産確認方法
理由   特許法第一条に基ずく   先発明先考案の保護の重大性の国民の目の確認
先知的所有財産発明の経緯
【００１８】
先知的所有財産発明の経緯とは、特許法第一条では、発明考案の保護を、特許法で謳い発明の利用を図る事と書きながらの特許187条では、特許表示義務まで至ってないそればかりか、特許法の特許庁職員言い分は、先発明より後の発明に対して他の人間が発明の特許提出を、先発明者の特許提出を、特許庁にした場合、先発明横領が、特許法で、認められる。金の無い弱者に対しては、金と暇がなければ、特許提出など、いつになるかは解りませんなの言い方にも聞こえてくる特許庁の平等な人権になっていない、特許提出と特許認定と特開公開表示義務 つまり先知的所有財産の公開義務及び完全保護をを、行わない特許庁のため、誰がいつ何処でどの様に発明したのかも、解らない状態のまま、弱者に先知的財産発明考案日の個人調査つまり、弱者に金を遣わすだけの特許法しか書かない、エリート大学出の考え方を、公開のテレビ局などで、個人それぞれから、話を聞く時代が実際に来てしまった事。 
【００１９】
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させるのテレビ発言で墫野和夫が、知的財産の内の発明と考案の略図及び文章を、北海道知事に郵便手紙確認保管してもらう。この事は信用の有る民主党本部 共産党及び朝日テレビなどにも、現在の子供達に借金苦を、味合わせないために、行った事である。
先知的所有財産公開提出の意図
【００２０】
特許法第79条(先使用による通常実施権)とは
特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をしとまず特許法に書かれているが、特許出願作品に対して特許庁が、出願と同時に審査請求つまり、同一特許作品を、いち早く特許庁は、職権義務公開しなければならないと言える。理由として、発明考案つまり、知的財産とは、先発明及び先考案及び先知的財産者が、同一の後発明又は後考案又は後知的財
産によって先発明及び先考案及び先知的財産を、超えた同一発明の利益は、横領としか考えられない理由として、言い換えれば特許切れ又は著作権切れの知的財産物に対して同じものを、作っても現在の法律では、違法とは、書いてないが、同一知的財産権期限切れ商品を、複数の者が作った場合、国の財政経営に対してインフレとデフレを、同時に二つ作る事となり、知的財産権期限切れの商品を、国が作って国民全員に平等に配布しない限り所得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
【００２１】
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンを、国が国営の会社として作るべきである。
先発明及び先考案及び先知的所有財産の郵便物送付目的意図      2008年5月1日21時3分自宅美馬
【００２２】
先知的所有財産とは、発明及び考案及び植物の新品種、意匠、著作権物その他の人間の創造的活動により生み出されるもの(発見又は解明かされた自然の法則又は現象であって産業上の利用可能性があるものを、含む。)商標、商号その他事業活動にもち入れられる商品又は役務を表示するもの及び営業秘密その他の事業活動に有用な技術上又は営業上の情報を言う。
確かに上記に述べたのが知的所有財産の法律に書かれて入る事柄であるが、先発明日及び先考案日又は先意匠又は先著作権などの、日付が明白でなければ、現在の子供達に、国会議員が、国と地方の全額借金返済させる事を、国会議員が、テレビカメラの前で、言った事は、事実であった。この事実に対して墫野和夫が、先発明及び先考案及び先意匠の事実を、郵便封筒日付消印永遠保存によって現在の子供達及びこれから、生まれてくる子供達を、救う事が、出来ると考えたからである。
先知的所有財産の個人先発明財産証明の現行2008年の法律と先発明と先考案保護に一番近い特許法の法律文書解釈
現在の特許庁職員の職務として、特許法第一条は、完全に発明の保護と考案の保護が、書かれている事実であっても、特許法39条(先願)同一の発明について異なった日に二つ以上の特許出願が、あった時は、最先の特許出願人のみが、その発明について特許を受ける事が、出来る。  
上記の特許法第39条(先願)に対して検証して見ます。
同一の発明について異なった日に二つ以上の特許出願が、あった時は最先の特許出願人のみが特許を、受ける事が出来る。この場合特許提出が、異なった日であるから、先提出が、特許認定なのは、正しい。だが、同一発明の場合、先に発明していた事が、明らかに証明一例では、既に公開していて、他の者に先特許提出された事で、先発明の知的財産の先発明権利を、失うとするならば、この世の中は、金があれば、後発明でも、貧乏人より、先に特許提出した者が、先知的財産言うなれば先発明の権利を、後発明が、奪う事となれば、莫大な先知的所有財産の横領又は奪う行為を、許す特許法になってしまうのが、残念である。
【発明の効果】
【００２３】
上述したように本先知的所有財産の瞬間気化処理除雪車は、かき込んだ雪を電動仕切り弁と真空装置で、雪を瞬間気化処理出来る二酸化炭素排出を更に少なく済む除雪車を提供できる。
【００２４】
また、瞬間気化処理除雪車の安全装置として猛吹雪の際、除雪車をいち早く確認出来るようにGPS位置確認装置の積載と遠くまで、ライト光を届ける事の出来るレンズライトと更に猛吹雪中でも、通常ライト確認より確認しやすいカラー光ライン線ライトの赤い色のライト光で猛吹雪の除雪対応を図る事によって、より良い安全確保の効果を発揮するものである。
【００２５】
最後に先知的所有財産の特開2003ー328925号公報は、簡単に言えば燃料電池の発電後の水を再び連続発電するための水発電機機械機能を説明した特許請求文章ですが、日本の特許庁2008年5月14日現在では、日本の都道府県市町村の借金苦の現状が良く理解出来てないばかりか、特開2003ー328925号公報の燃料電池発電を連続発電するために、水中ポンプと電動仕切り弁と真空装置それぞれを連続使用する事によって、燃料電池の液体マグネシウムもしくは固形水素などに連続吸収出来る発電先知的所有財産先発明技術を、2008年5月14日現在特許庁理解者ゼロだが、日本の国の全額借金返済活動と都道府県市町村の全額借金返済活動に対しての経済産業省試作品共同開発の協力実現によって、都道府県市町村の借金返済の道筋が見える効果を発揮するものである。
コメント
2008年5月15日AM10時33分12秒からこれだけの先発明なぜ国の全額借金返せない
【図面の簡単な説明】
【００２６】
【図１】瞬間気化処理除雪車全体図
【図２】瞬間気化処理除雪車の雪処理方法図
【図３】瞬間気化処理除雪車のレンズライト安全確認用ライト装置の構造図
【図４】瞬間気化処理除雪車のライン線ライト安全確認用カラー色ライト装置の構造図
【図５】平成15年1月6日岩手県胡四王簡易郵便局から墫野和夫の先知的所有財産の確認の為に東京都日本消費者連合殿へ送ったゆうパック領収書
【図６】平成15年1月6日岩手県胡四王簡易郵便局から墫野和夫の先知的所有財産の確認の為に東京都NHKふれあいセンーター殿へ送ったゆうパック領収書
【図７】平成15年1月6日岩手県胡四王簡易郵便局から墫野和夫の先知的所有財産の確認の為にアムネスティインターナショナル支部殿へ先知的所有財産を送ったゆうパック領収書
【図８】平成15年1月6日岩手県胡四王簡易郵便局から墫野和夫の先知的所有財産の確認の為に東京都日本共産党委員会志位和夫殿へ先知的所有財産を送ったゆうパック領収書
【図９】平成15年3月末日岩手県胡四王簡易郵便局から墫野和夫の先知的所有財産の確認の為に東京都社民党本部土井高子殿へ先知的所有財産を送ったゆうパック領収書
【図１０】平成16年1月4日旭川市中央郵便局から墫野和夫の先知的所有財産の確認の為に東京都民主党本部民主党党首殿へ先知的所有財産を送ったゆうパック領収書
【図１１】デザイン図
【図１２】発電機説明図
【図１３】消費者連盟の著作権図面受理書図
【図１４】ＮＨＫ放送センター著作権図面受理書図
【図１５】アムネスティーインターナショナル日本支部著作権図面受理書図
【図１６】社民党本部著作権図面受理書図
【図１７】民主党党首著作権図面受理書図
【図１８】共産党著作権図面受理書図
【発明を実施するための形態】
【００２７】
以下本先知的所有財産の先発明の実施の形態を図1から図4に基ずいて説明する。
【００２８】
図1においては、(1)瞬間気化処理除雪車であり、猛吹雪の安全装置として(10)のGPS位置確認連絡装置並びに図3の(16)レンズライトは、(18)の電気配線によって(17)レンズライト球
の光りを(15)のレンズライトおおレンズにライトの光りを通して更に(14)のレンズライトとつレンズにライト光を送る事によって遠くまでライトの光りが届くようにライト構造を
とつレンズとおおレンズの二つを使用する構造にする事によって遠くまでライトの光が届ける事の出来る猛吹雪対策安全装置を積載した瞬間気化処理除雪車。
【００２９】
20年5月14日PM23時24分レンズライトとカラー色ライン線ライト理解出来るか官庁
図1の続き説明として、図4の(22)カラー色ライン線ライトは、レンズライトの構造に似ているのですが、(24)電気配線からの電気で(23)ライン線ライト球に明かりが灯り更にこのライト光は(21)ライン線ライト赤プラスチックガラス板にライト光をかざし更に望遠鏡を逆さにした構造つまり、(20)ライン線ライトおおレンズにカラー色光をかざし更に(19)カラーライン線ライトとつレンズからカラー色の光りを遠くまで、一定の幅でカラー色光を届ける事の出来る猛吹雪対策安全装置を積載した瞬間気化処理除雪車。
【００３０】
2008年5月15日(火)AM8時55分45秒朝のラーメンで今日は始まる。
図1に於いて(4)の雪かき込み装置によって、雪は(8)電動仕切り弁を通って(7)雪収納庫に溜められて、(3)レールモーター付きの真空装置によって、(7)雪収納庫にストックされた雪を(7)真空装置で瞬間に固形の雪を、気体の雪に変えて空気中に雪が気化した状態で放出する。
【００３１】
図1に於いて(9)は、ハンドルそして、(5)はホイストそして、(6)は雪かき込み支え厚鉄板であり(4)の雪かき込み装置をキャビン内の油圧レバーで、従来通り高さ調整して雪をかき込む構造装置システムになっている。 
【００３２】
図1に於いて(2)は、無害無給油連続発電機であり、(特開2003ー328925号公報と特開2006ー254697号公報。)などの無害無給油連続発電機を使用する場合(4)雪かき込み装置は、二連結以上モーター(実登314491号登録実用新案公報(U)と特開2004ー304993号公報)によって固い凍りを、かき込んでもモーター焼けしないモーター構造の装置を使用しているのが特徴である。
ただし、すべて油圧方式にする考えもあるが、油圧の油交換など経費がかかり過ぎるので二連結以上モーター使用になった。
別途、すべて電気作動方式もあるが、都道府県市町村の乗り慣れているエンジン式も真空装置使用の瞬間に雪を気化排出出来る装置だけ乗せた除雪機も出来る。
【００３３】
図2に於いて除雪方法が、(11)雪かき込み装置によってかき込み(8)電動仕切り弁で密封して(12)真空装置による真空気化開始(13)雪瞬間気化になって、空気中に放出する事の出来る雪瞬間処理出来る除雪車。
【００３４】
2008年5月15日AM9時38分58秒瞬間気化処理除雪車ならば、豪雪地域大助かりのはず
図3に於いて(16)レンズライトの説明である。(16)レンズライトは、(18)電気配線によって(17)のレンズライト球に電気を送って(17)ライト球を明かりを灯し、そのライト光は、望遠鏡を逆さに使用した装置の(15)レンズライトおおレンズにライト球の光りを灯して更にその光は(14)レンズライトとつレンズに(17)ライト光が届き望遠鏡の逆さ機能によって、光りは、通常より更に遠くまで届くようになる(16)レンズライト装置。
【００３５】
図4に於いて(22)カラーライン線ライトは、(24)電気配線に電気が流れる事で(23)ライン線ライト球に電気が灯りその光りは(21)カラーライン線ライト赤プラスチックガラスガラス板(21)に(23)ライン線ライト球の光りをかざし(20)ライン線ライトおおレンズに光りを通して(19)ライン線ライトとつレンズに(23)ライン線ライト球の光りを届ける事によって(19)ライン線ライトとつれんずから細いカラー色光が、遠くまで届く仕組みの構造になっている。
【００３６】
本試作実施形態の図1、図2、図3、図4、の試作実施によって、猛吹雪でも、(10)GPS位置確認出来て(22)赤色ライン光及び(16)レンズライト光などの光りを猛吹雪状態でも目視確認出来やすくした瞬間気化処理除雪車の安全装置の効果が得られる。
コメント
2008年5月15日AM10時44分10秒伊東ゆかりのCD今日も流れる美馬牛墫野ニャン
【符号の説明】
【００３７】
1  瞬間気化処理除雪車
2  無害無給油連続発電機
3  レールモーター真空装置
4  雪かきこみ装置         
5  ホイスト
6  雪かき込み支え厚板
7  雪収納庫
8  電動仕切り弁    
9  ハンドル
10 GPS位置確認連絡装置
11 雪取り込み開始
12 真空装置と電動仕切り弁装置による雪の真空気化システムの空中雪気化放出開始
13 雪瞬間気化
14 レンズライトとつレンズ
15 レンズライトおおレンズ
16 レンズライト 
17 レンズライト球
18 レンズライト電気配線
19 ライン線ライトとつレンズ
20 ライン線ライトおおレンズ
21 ライン線ライト赤プラスチックガラス板
22 ライン線ライト
23 ライン線ライト球
24 ライン線電気配線
【図１】
2012097559.tif 000003
【図２】
2012097559.tif 000004
【図３】
2012097559.tif 000005
【図４】
2012097559.tif 000006
【図５】
2012097559.tif 000007
【図６】
2012097559.tif 000008
【図７】
2012097559.tif 000009
【図８】
2012097559.tif 000010
【図９】
2012097559.tif 000011
【図１０】
2012097559.tif 000012
【図１１】
2012097559.tif 000013
【図１２】
2012097559.tif 000014
【図１３】
2012097559.tif 000015
【図１４】
2012097559.tif 000016
【図１５】
2012097559.tif 000017
【図１６】
2012097559.tif 000018
【図１７】
2012097559.tif 000019
【図１８】
2012097559.tif 000020